(57)【特許請求の範囲】
【請求項１】
中空管状の単一体ケースで構成され、円錐状の一側端に第１ブラシが出没するブラシ孔が形成され、他側端に挿入孔が形成されている軸と；
一側端部に結合された前記第１ブラシと他側端部に結合された第２ブラシによって両端が閉鎖された状態で前記軸の内部に挿入され、前記軸の長さ方向に沿って前進／後進するカートリッジと；
前記カートリッジの前進／後進によって前記軸の前記ブラシ孔を気密に開閉するように、前記カートリッジと前記軸の間に介在される乾燥防止機構と；
を備えたことを特徴とする自動密閉構造を持つワンタッチ式両面ブラシ。
【請求項２】
前記軸には、他側部から長さ方向に沿って第１固定孔と第２固定孔が順に形成されており、
前記カートリッジは、前記第１固定孔と前記第２固定孔に拘束及び離脱されるように、他側のタンク部の側面に突出する係止突起を有することを特徴とする請求項１に記載の自動密閉構造を持つワンタッチ式両面ブラシ。
【請求項３】
前記係止突起は、前記第１固定孔と前記第２固定孔に容易に拘束及び離脱されるように、前記カートリッジの側面に延びる弾性自由端によって構成されることを特徴とする請求項２に記載の自動密閉構造を持つワンタッチ式両面ブラシ。
【請求項４】
前記軸は、前記第１固定孔に拘束された前記係止突起が容易に離脱するように、前記第１固定孔の前方から延びる自由端によって構成されるリターンスイッチをさらに含み、
前記リターンスイッチが押されると前記リターンスイッチが軸の内部に曲がることにより、前記第１固定孔に拘束されている前記係止突起が前記カートリッジの内部に曲がって離脱される、
ことを特徴とする請求項３に記載の自動密閉構造を持つワンタッチ式両面ブラシ。
【請求項５】
前記リターンスイッチは、押し込みがより容易になるように、前記リターンスイッチの外表面に突出型プッシュ部が形成されることを特徴とする請求項４に記載の自動密閉構造を持つワンタッチ式両面ブラシ。
【請求項６】
前記カートリッジの係止突起の反対側には自由端形状のガイド突起が形成され、
前記ガイド突起が挿入されて拘束されるように、前記軸には前記ガイド突起に対応する位置にガイド孔が形成され、前記カートリッジが前記軸の長さ方向に沿って前進／後進するとき直線状に移動するように前記カートリッジをガイドすることを特徴とする請求項２に記載の自動密閉構造を持つワンタッチ式両面ブラシ。
【請求項７】
前記カートリッジは、前記自由端が内部に曲がるようにする空間が形成されるようにテンション溝が形成されていることを特徴とする請求項４または６に記載の自動密閉構造を持つワンタッチ式両面ブラシ。
【請求項８】
前記カートリッジは、
他側には係止突起が形成され、内部にフィルターを収容し、前記カートリッジにおいて最大の直径を有するタンク部と；
前記タンク部の他側端に設けられ、前記タンク部より小さな直径を持ち、内部に第２ブラシを収容する円錐部収容部と；
前記タンク部の一側端に設けられ、前記タンク部より小さな直径を持ち、前記タンク部に収容される前記フィルターを収容する連結部と；
前記連結部より小さな直径を持ち、一側端に第１ブラシを収容するブラシ延長軸部と；
前記第１ブラシと結合されるブラシ収容部と；
を備えることを特徴とする請求項１に記載の自動密閉構造を持つワンタッチ式両面ブラシ。
【請求項９】
前記カートリッジは、前記円錐部収容部の内部に収容され、内部に前記第２ブラシの一側が結合され、前記第２ブラシに前記タンク部に収容された前記フィルターの消毒液が伝達されるように内部が貫通した円錐部をさらに備えることを特徴とする請求項８に記載の自動密閉構造を持つワンタッチ式両面ブラシ。
【請求項１０】
前記第２ブラシをカバーするように、前記円錐部収容部の外面に形成されたネジ山に対応して内側面にネジ山が形成された円錐状のキャップをさらに備えることを特徴とする請求項８に記載の自動密閉構造を持つワンタッチ式両面ブラシ。
【請求項１１】
前記係止突起は、密閉した側面を持つ前記タンク部の外表面に一定深さに凹設された凹部に結合されて前記凹部に対応する形状を持つ曲面部上に形成され、
前記曲面部と前記凹部との間には平行な空間が形成され、
前記曲面部と前記タンク部の外表面の境界部が連続して滑らかに形成されるように、前記凹部及び前記係止突起のいずれか一方に一対の支え段部が形成される、
ことを特徴とする請求項３に記載の自動密閉構造を持つワンタッチ式両面ブラシ。
【発明の詳細な説明】
【技術分野】
【０００１】
本発明は自動密閉構造を持つワンタッチ式両面ブラシに関し、より詳しくは化粧用ブラシが軸の開放時にだけ突出し、没入の際には軸の内部で密閉状態で消毒液を収容したカートリッジによって消毒される自動密閉構造を持つワンタッチ式両面ブラシに関する。
【背景技術】
【０００２】
化粧用ブラシは使用者の顔面などの皮膚に直接触れるもので、その清潔維持が重要である。
【０００３】
ブラシの清潔維持のためには、使用しないとき、外部からの遮断が重要であり、ブラシの自体消毒もなされなければならないが、大部分のブラシ容器はこのような管理がなされていない。
【０００４】
したがって、図１に示す特許文献１の「化粧用ブラシ」は、化粧ブラシの露出を遮断するためにふたをする前に、ふたによってブラシが折れて破損するのを防止するために、化粧ブラシの後方から化粧ブラシ側に前進する保護管体を導入し、前記保護管体が突出体によるスプリングの弾性力の作用によってワンタッチ方式で自動で突出して前進するようにしている。
【０００５】
しかし、特許文献１が開示する先行技術は、化粧ブラシをブラシ本体の内部に全く密閉させることができず、本体の内部での消毒ができず、衛生状態を改善するのには限界がある。
【０００６】
また、図２に示す特許文献２の「ノック式化粧ブラシ」は、ノックボタンを含んでおり、スライド方式で化粧ブラシを出没させ、内部を密閉させることができるキャップを備えているが、特許文献２が開示する先行技術もキャップを使用者が手動で被せるか取り離さなければならない不便さがある。
【先行技術文献】
【特許文献】
【０００７】
【特許文献１】韓国登録特許第１０−０８３４４４９号公報
【特許文献２】登録実用新案第３０９６２２５号公報
【発明の概要】
【発明が解決しようとする課題】
【０００８】
本発明は前記の問題点を解決するためになされたもので、その目的は、カートリッジのスライド動作によってブラシが出没し、乾燥防止機構によってブラシが非接触式で密閉される自動密閉構造を持つワンタッチ式両面ブラシを提供することである。
【０００９】
また、本発明の他の目的は、カートリッジの内部に消毒液が充填されており、ブラシが内部空間に密閉されているとき、消毒液の揮発によってブラシが消毒される自動密閉構造を持つワンタッチ式両面ブラシを提供することである。
【００１０】
また、本発明のさらに他の目的は、ブラシが軸の両端にそれぞれ備えられた自動密閉構造を持つワンタッチ式両面ブラシを提供することである。
【課題を解決するための手段】
【００１１】
上記本発明の目的は、中空管状の単一体ケースで構成され、円錐状の一側端に第１ブラシが出没するブラシ孔が形成され、他側端に挿入孔が形成されている軸と；一側端部に結合された前記第１ブラシと他側端部に結合された第２ブラシによって両端が閉鎖された状態で前記軸の内部に挿入され、前記軸の長さ方向に沿って前進／後進するカートリッジと；前記カートリッジの前進／後進によって前記軸の前記ブラシ孔を気密に開閉するように、前記カートリッジと前記軸の間に介在される乾燥防止機構と；を備えたことを特徴とする自動密閉構造を持つワンタッチ式両面ブラシによって達成される。
【００１２】
また、本発明によれば、前記軸には、他側部から長さ方向に沿って第１固定孔と第２固定孔が順に形成されており、前記カートリッジは、前記第１固定孔と前記第２固定孔に拘束及び離脱されるように、他側のタンク部の側面に突出する係止突起を有することを特徴とする。
【００１３】
また、本発明によれば、前記係止突起は、前記第１固定孔と前記第２固定孔に容易に拘束及び離脱されるように、前記カートリッジの側面に延びる弾性自由端によって構成されることを特徴とする。
【００１４】
また、本発明によれば、前記軸は、前記第１固定孔に拘束された前記係止突起が容易に離脱するように、前記第１固定孔の前方から延びる自由端によって構成されるリターンスイッチをさらに含み、前記リターンスイッチが押されると前記リターンスイッチが軸の内部に曲がることにより、前記第１固定孔に拘束されている前記係止突起が前記カートリッジの内部に曲がって離脱されることを特徴とする。
【００１５】
また、本発明によれば、前記リターンスイッチは、押し込みがより容易になるように、前記リターンスイッチの外表面に突出型プッシュ部が形成されることを特徴とする。
【００１６】
また、本発明によれば、前記カートリッジの係止突起の反対側には自由端形状のガイド突起が形成され、前記ガイド突起が挿入されて拘束されるように、前記軸には前記ガイド突起に対応する位置にガイド孔が形成され、前記カートリッジが前記軸の長さ方向に沿って前進／後進するとき直線状に移動するように前記カートリッジをガイドすることを特徴とする。
【００１７】
また、本発明によれば、前記カートリッジは、前記自由端が内部に曲がるようにする空間が形成されるようにテンション溝が形成されていることを特徴とする。
【００１８】
また、本発明によれば、前記カートリッジは、他側には係止突起が形成され、内部にフィルターを収容し、前記カートリッジにおいて最大の直径を有するタンク部と；前記タンク部の他側端に設けられ、前記タンク部より小さな直径を持ち、内部に第２ブラシを収容する円錐部収容部と；前記タンク部の一側端に設けられ、前記タンク部より小さな直径を持ち、前記タンク部に収容される前記フィルターを収容する連結部と；前記連結部より小さな直径を持ち、一側端に第１ブラシを収容するブラシ延長軸部と；前記第１ブラシと結合されるブラシ収容部と；を備えることを特徴とする。
【００１９】
また、本発明によれば、前記カートリッジは、前記円錐部収容部の内部に収容され、内部に前記第２ブラシの一側が結合され、前記第２ブラシに前記タンク部に収容された前記フィルターの消毒液が伝達されるように内部が貫通された円錐部をさらに備えることを特徴とする。
【００２０】
また、本発明によれば、前記第２ブラシをカバーするように、前記円錐部収容部の外面に形成されたネジ山に対応して内側面にネジ山が形成された円錐状のキャップをさらに備えることを特徴とする。
【００２１】
また、本発明によれば、前記係止突起は、密閉した側面を持つ前記タンク部の外表面に一定深さに凹設された凹部に結合されて前記凹部に対応する形状を持つ曲面部上に形成され、前記曲面部と前記凹部との間には平行な空間が形成され、前記曲面部と前記タンク部の外表面の境界部が連続して滑らかに形成されるように、前記凹部及び前記係止突起のいずれか一方に一対の支え段部が形成される、ことを特徴とする。
【発明の効果】
【００２２】
したがって、上記課題解決手段による本発明の自動密閉構造を持つワンタッチ式両面ブラシは、軸の両端にそれぞれ備えられているブラシを交互に使うことができ、一方ブラシを使う間、他方のブラシが軸の内部で密閉状態で消毒液によって消毒されるので、ブラシの衛生状態を改善することができる。
【図面の簡単な説明】
【００２３】
【図１】特許文献１が開示する化粧用ブラシの分解斜視図である。
【図２】特許文献２が開示する化粧用ブラシの分解斜視図である。
【図３】本発明の実施例による自動密閉構造を持つワンタッチ式両面ブラシの全体分解斜視図である。
【図４】図３に示す軸の正面図である。
【図５】軸の断面図である。
【図６】図３に示すカートリッジの正面図である。
【図７】カートリッジの断面図である。
【図８】図３に示すキャップの断面図である。
【図９】図３の閉鎖状態での全体組立図及び線Ａ−Ａについての断面図である。
【図１０】図３の閉鎖状態での全体組立図及び線Ｂ−Ｂについての断面図である。
【図１１】図１０に示す状態からキャップを除去した状態を示す図である。
【図１２】図３の開放状態での全体組立図及び線Ｃ−Ｃについての断面図である。
【図１３】図３の開放状態での全体組立図及び線Ｄ−Ｄについての断面図である。
【発明を実施するための形態】
【００２４】
以下、本発明の実施例による自動密閉構造を持つワンタッチ式両面ブラシについて添付図面に基づいてより詳細に説明する。
【００２５】
図３は本発明の実施例による自動密閉構造を持つワンタッチ式両面ブラシの全体分解斜視図、図４及び図５は図３の軸の正面図及び断面図である。
【００２６】
また、図６及び図７は図３に示すカートリッジ２００の正面図及び断面図、図８は図３に示すキャップ４０の断面図である。
【００２７】
また、図９及び図１０は図３の閉鎖状態での全体組立図及び線Ａ−Ａ及び線Ｂ−Ｂについての断面図、図１１は図１０の状態からキャップ４０を除去した状態を示す図である。
【００２８】
また、図１２及び図１３は図３の開放状態での全体組立図及び線Ｃ−Ｃ及び線Ｄ−Ｄについての断面図である。
【００２９】
図３に示すように、本発明の自動密閉構造を持つワンタッチ式両面ブラシは、軸１００、カートリッジ２００、第１ブラシ１０、第２ブラシ２０、キャップ４０、フィルター８０、及びブラシ孔１１の開閉のための乾燥防止機構を備える。
【００３０】
乾燥防止機構は、スプリング５０、Ｏリング６０、パッキン７０、及び開閉モジュール９０を備える。これは本出願人によって出願されて公開された韓国特許第１０−２００８−００７４２６９号公報の「乾燥防止機構を備えた出没式筆記具」において軸のノズル孔を気密に開閉するための機構と同一であり、その詳細な構成及びメカニズムの説明は省略する。
【００３１】
以下、乾燥防止機構は、軸１００の方向に挿合されたカートリッジ２００を弾性力によって元の位置に復元させるように結合されたスプリング５０と、軸１００の内部に装着されて気密にスライド可能に結合されたＯリング６０と、このＯリング６０の内側に軸方向一側端部位が挿入されている状態で軸１００の内部に装着されるパッキン７０と、一側のＯリング６０がホルダーと水密に結合され、他側のボール型ドアがブラシ孔１１（図４）と密着して面接触し、ボール型ドアの回転によってブラシ孔１１を開閉させる開閉モジュール９０とを備え、開閉作動に関与する機構である。
【００３２】
すなわち、本発明の乾燥防止機構によれば、使用者は本発明の軸１００を片手で掴んだ後、親指などでキャップ４０を押し込むと、キャップ４０及びカートリッジ２００に連動する開閉モジュール９０の棒状ドアが開放方向に‘＋’回転角９０度だけ回転して貫通通路をノズルの軸方向に一致させるように回転するとともに軸１００のブラシ孔１１を開放する。
【００３３】
その後、一側のブラシは開閉モジュール９０の貫通通路を通じてブラシ孔１１の外部に突出することにより使用可能な状態となる。
【００３４】
これと反対に、使用者がリターンスイッチ１０２（図４）を押すと、カートリッジ２００がリターンスイッチ１０２によって軸１００から抜け出し、内装されたスプリング５０の弾性反発作用によって開閉モジュール９０のボール型ドアは閉鎖方向に‘−’回転角９０度だけ回転して貫通通路をノズルの軸方向に垂直に回転させるとともに軸１００のブラシ孔１１を閉鎖し、突出したノズルが元の位置、つまり軸１００の内部に没入する。
【００３５】
この際、押圧動作によって出没する第１ブラシ１０側を一側とし、出没なしにふたによって開閉される第２ブラシ２０側を他側とする。
【００３６】
また、一側の第１ブラシ１０の突出方向を前進あるいは前方または上側とし、その反対方向を後進あるいは後方または下側とする。
【００３７】
図４及び図５に示すように、軸１００は単一体ケースに相当するもので、中空管またはチューブの形状を有する。
【００３８】
軸１００はプラスチック素材から射出成型されるかモールド成型方式で製作可能であり、プラスチック素材の場合、軸１００はプラスチック素材の一般的な特性、つまり弾性、可撓性、伸縮性のいずれか一つを有する。
【００３９】
軸１００は円錐状の一側端にブラシ孔１１が形成され、他側端に下記の構成要素が挿合される程度の内径を持つ挿入孔１４が形成されている。
【００４０】
軸１００は、他側端から長さ方向に沿って第２固定孔１０４、第１固定孔１０３、及びリターンスイッチ１０２が順に形成されている。
【００４１】
第１固定孔１０３及び第２固定孔１０４は、後述するカートリッジ２００の係止突起２０１（図６）がカートリッジ２００の前進及び後進によって両者のいずれか一方に拘束されるように形成された孔である。
【００４２】
すなわち、第２固定孔１０４はカートリッジ２００が後進した状態で係止突起２０１が係止されるように軸１００の他側端に形成され、第１固定孔１０３はカートリッジ２００が前進した状態で係止突起２０１が係止されるように第２固定孔１０４と同一直線上でカートリッジ２００の移動距離に対応する間隔をおいて形成されている。
【００４３】
リターンスイッチ１０２は第１固定孔１０３の前方に形成されている自由端である。
【００４４】
したがって、リターンスイッチ１０２は軸１００の側面を基準として内外に弾性的に曲がることができ、特にリターンスイッチ１０２を押し込むことによってリターンスイッチ１０２が軸１００の内側に曲がることで、第１固定孔１０３に拘束されている同じく自由端である係止突起２０１を離脱させる役目をする。
【００４５】
したがって、リターンスイッチ１０２は、より押し易くなるように、リターンスイッチ１０２の外表面に突出型プッシュ部が形成されることが好ましい。
【００４６】
リターンスイッチ１０２と固定孔１０３、１０４の反対側にはガイド孔１０５が形成されている。
【００４７】
ガイド孔１０５は後述するカートリッジ２００のガイド突起２０２（図７）を拘束して前後進の移動をガイドするための孔である。
【００４８】
このために、ガイド孔１０５は軸１００の長さ方向に沿って垂直に形成されている貫通孔である。
【００４９】
図６及び図７に示すように、カートリッジ２００は、円錐部挿入口２４２からノズルまで段階的に直径が小さくなるように、最大直径のタンク部２４３、このタンク部２４３より小さな直径の連結部２４４、この連結部２４４より小さな直径のブラシ延長軸部２４５、及びブラシ延長軸部２４５の端部でブラシを収容するブラシ収容部２４６を含んで一体的になっている。
【００５０】
カートリッジ２００は軸１００のカートリッジ挿入孔１４を通じて結合された後、使用者が前述したような出没メカニズムによってブラシを軸１００のブラシ孔１１に対して突出または没入させるように、軸方向に限定されたストローク範囲内で往復移動させることができ、ストロークの両端で一時停止することができる。
【００５１】
このために、カートリッジ２００はその側面に係止突起２０１を有し、ガイド突起２０２が一体的に形成されている。
【００５２】
係止突起２０１は、カートリッジ２００が前進／後進の直線移動を行うにつれて、軸１００の第１固定孔１０３及び第２固定孔１０４に係止されるように、内部密閉型のタンク部２４３の外表面に結合される部品である。
【００５３】
係止突起２０１は、タンク部２４３の外表面から一定の深さに凹設された凹部２０３から一定空間を置いて結合され凹部２０３の深さより小さい厚さを持つ曲面部２０４上に形成された自由端の突起である。
【００５４】
係止突起２０１の曲面部２０４は、タンク部２４３の凹部２０３との間に一定空間を形成するように、凹部２０３あるいは曲面部２０４の両端に支え段部（図示せず）が形成されることにより、係止突起２０１と凹部２０３の間に位置する支え段部によって平行空間が形成される。
【００５５】
曲面部２０４は、係止突起２０１の厚さまたは凹部２０３の深さより小さな厚さを持ち、内部に平行空間を形成するように凹部２０３に結合され、タンク部２４３が滑らかに連続した外表面となるように、係止突起２０１の曲面部２０４とタンク部２４３の外表面は連続した表面形状を持つ。
【００５６】
係止突起２０１は、凹部２０３と曲面部２０４との間に形成された内部空間により、自由端が弾性変形する際に内部に押し込まれる。
【００５７】
すなわち、係止突起２０１もリターンスイッチ１０２と同様にタンク部２４３の側面の内外に柔軟に弾性的に曲がることができ、特に第１固定孔１０３に拘束された状態でリターンスイッチ１０２が係止突起２０１を押し込むと、係止突起２０１がタンク部２４３の内側に押し込まれて第１固定孔１０３から離脱する。
【００５８】
また、ガイド突起２０２は係止突起２０１の対向側の反対端上に形成され、ガイド孔１０５に拘束されることにより、カートリッジ２００が前進／後進の直線移動をするようにする。
【００５９】
また、タンク部２４３は、その内側面のガイド突起２０２及び係止突起２０１側にタンク部２４３の長さ方向に沿ってテンション溝（凹部）が形成されることで、タンク部２４３の内部でガイド突起２０２や係止突起２０１のような自由端が充分に柔軟に内側に曲がるようにする空間を形成する。
【００６０】
また、カートリッジ２００の他側端にはタンク部２４３より小さな直径の円錐部挿入口２４２及び円錐部収容部２０８が形成され、第２ブラシ２０を収容する円錐部３０（図３）が円錐部挿入口２４２の端部に係止されるとともに円錐部収容部２０８の内部に挿入される。
【００６１】
この際、円錐部収容部２０８とタンク部２４３の内径は同一であることが好ましい。
【００６２】
円錐部収容部２０８はその外側にネジ山が形成されて、後述するキャップ４０の内部ネジ山と螺合する。
【００６３】
連結部２４４の内壁面は軸の長さ方向に沿って突条２４４が同一間隔で複数形成され、後述するフィルター８０が挿入固定される。
【００６４】
図８に示すように、キャップ４０は円錐形状を有し、一側開放部４２で円錐部収容部２０８をカバーする。
【００６５】
このために、キャップ４０は一側開放部４２の内側面にネジ山４１が形成されて、円錐部収容部２０８の外側面に形成されたネジ山とかみ合う。
【００６６】
この際、キャップ４０の外径はタンク部２４３の外径と同一であることが好ましい。
【００６７】
図３に示す円錐部３０は、第２ブラシ２０を収容するとともに円錐部収容部２０８に挿入されるように、円錐部収容部２０８の内径に対応する外径を持つタンク挿入部３１、及び円錐部収容部２０８の外径と同一外径を有し、内部に第２ブラシ２０を収容するブラシ収容部３２を備える。
【００６８】
この際、タンク挿入部３１の端部はカートリッジ２００内部のフィルター８０と接触し、フィルター８０の消毒成分を受けるようにその内部が貫通しているので、第２ブラシ２０に消毒液成分を伝達する。
【００６９】
ブラシは動物の毛あるいは合成樹脂から製造された一般的な化粧用ブラシであり、ブラシ収容部３２と円錐部３０の内部にそれぞれ堅固に結合され、消毒液成分を受けて消毒される。
【００７０】
図９〜図１１は本発明の第１ブラシ１０が没入して軸の内部で開閉モジュール９０によって密閉されている状態を示す。
【００７１】
図９及び図１０に示すように、カートリッジ２００は、ブラシ収容部２４６に第１ブラシ１０が挿入され、円錐部収容部２０８に第２ブラシ２０が収容されている円錐部３０が挿入される。
【００７２】
また、カートリッジ２００の内部に揮発性消毒液で充填されたフィルター８０が介在された状態で、カートリッジ２００が軸１００の内部に挿入される。
【００７３】
この際、カートリッジ２００は係止突起２０１が軸１００の第２固定孔１０４に拘束されているため移動しないが、軸１００のブラシ孔１１と接している乾燥防止機構のスプリング５０の反発力によって伸張状態となる。
【００７４】
スプリング５０の一側はカートリッジ２００のタンク部２４３と連結部２４４の間の段差部と接触し、その他側はＯリング６０と接触する。
【００７５】
Ｏリング６０は軸１００の内壁面に密着し、一面がスプリング５０と接触し、他側面がパッキン７０と接触する。
【００７６】
パッキン７０は開閉モジュール９０とブラシ延長軸部２４６の間に密着して介在されて、これらを互いに水密に結合する。
【００７７】
開閉モジュール９０は、一側端がブラシ孔１１と密着し、他側端がパッキン７０と密着しているので、カートリッジ２００の前進／後進の移動の際に、一側端は固定され、他側端だけがパッキン７０とともに移動してボール型ドアを開閉する。
【００７８】
また、図１１に示すように、キャップ４０を開放すれば、第２ブラシ２０及び円錐部３０のブラシ収容部３２が露出し、キャップ４０の内部ネジ山と円錐部収容部２０８の外部ネジ山がかみ合うことにより第２ブラシ２０をカバーする。
【００７９】
キャップ４０が被せられた状態で、図１２及び図１３に示すように、キャップ４０の端部を指などで押し込めば、キャップ４０、第２ブラシ２０が収容された円錐部３０、カートリッジ２００が一体的に前進し、カートリッジ２００の係止突起２０１は第２固定孔１０４から離脱する。
【００８０】
キャップ４０に継続して押圧力が加わり、カートリッジ２００は軸１００のガイド孔１０５に拘束されているガイド突起２０２により軸の長さ方向に沿って前方に移動し、係止突起２０１が第１固定孔１０３に拘束されることによって前進が止まる。
【００８１】
カートリッジ２００が前進するにつれて、押圧防止装置のスプリングはカートリッジ２００の前進によって弾性力が最大になるように圧縮され、開閉モジュール９０のボール型ドアがブラシ孔１１を開放させるとともにカートリッジ２００の前方に結合されている第１ブラシ１０がブラシ孔１１の外に突出する。
【００８２】
この際、リターンスイッチ１０２を押せば、第１固定孔１０３に拘束されていた係止突起２０１の自由端が曲がりながら第１固定孔１０３を離脱し、スプリング５０の反発力によってカートリッジ２００は後進し、同様にガイド突起２０２を拘束するガイド孔１０５に沿って直線状に後進し、第２固定孔１０４に係止突起２０１が係止されることによってカートリッジ２００の後進が止まる。
【００８３】
同時に、押圧防止装置は、カートリッジ２００の後進によってカートリッジ２００とともに移動する開閉モジュール９０の他側端が一緒に後進することにより、ボール型ドアがブラシ孔１１を閉鎖させるとともに第１ブラシ１０はカートリッジ２００の後進によって開閉モジュール９０の内部に密閉状態で収容される図９及び図１０の状態に復帰する。
【産業上の利用可能性】
【００８４】
本発明は、化粧用ブラシが軸の開放時にだけ突出し、没入の際には軸の内部で密閉状態で消毒液を収容したカートリッジによって消毒される自動密閉構造を持つワンタッチ式両面ブラシに適用可能である。
【符号の説明】
【００８５】
１０    第１ブラシ
２０    第２ブラシ
３０    円錐部
４０    キャップ
５０    スプリング
６０    Ｏリング
７０    パッキン
８０    フィルター
９０    開閉モジュール
１００    軸
１０２    リターンスイッチ
１０３    第１固定孔
１０４    第２固定孔
１０５    ガイド孔
２００    カートリッジ
２０１    係止突起
２０２    ガイド突起
２０３    凹部
２０４    曲面部
【図２】
0005156087.tif 000002
【図４】
0005156087.tif 000003
【図５】
0005156087.tif 000004
【図６】
0005156087.tif 000005
【図７】
0005156087.tif 000006
【図８】
0005156087.tif 000007
【図９】
0005156087.tif 000008
【図１０】
0005156087.tif 000009
【図１１】
0005156087.tif 000010
【図１２】
0005156087.tif 000011
【図１３】
0005156087.tif 000012
【図１】
0005156087.tif 000013
【図３】
0005156087.tif 000014